(57)【要約】【課題】夏場等で即湯システムが不要な場合、故障などで即湯システムが使用できない場合等において、即湯システムを経由せずに、湯を直接水栓金具に供給することのできる即湯システムの配管構造を提供する。【解決手段】給湯器からの湯を、貯湯タンク２内へ流す下方配管４と、貯湯タンク２の出口６側へ流す上方配管５が、分岐配管されてなる即湯システム１において、下方配管４側の流路を閉止できる止水栓２４を設けて構成する。【選択図】                図１
2004332986.tif 000002
【特許請求の範囲】
【請求項１】
給湯器からの湯を、貯湯タンク内へ流す下方配管と、貯湯タンクの出口側へ流す上方配管が分岐配管されてなる即湯システムにおいて、前記下方配管に流路を閉止できる止水機構を設けたことを特徴とする即湯システムの配管構造。
【請求項２】
貯湯タンクを備えた即湯システムの上流側に分岐栓を設け、該分岐栓には、前記即湯システムへ繋がる接続配管と、即湯システムの下流側へ繋がるバイパス配管を接続したことを特徴とする即湯システムの配管構造。
【請求項３】
貯湯タンクを備えた即湯システムの上流側に三方弁を設け、該三方弁には、前記即湯システムへ繋がる接続配管と、即湯システムの下流側へ繋がるバイパス配管を接続したことを特徴とする即湯システムの配管構造。
【請求項４】
前記接続配管へは６０％の湯を、前記バイパス配管へは４０％の湯を流すように配管径等が設定されていることを特徴とする請求項２または請求項３に記載の即湯システムの配管構造。
【請求項５】
即湯システムの運転スイッチに連動して、前記止水機構または三方弁が切り替わるように構成したことを特徴とする請求項１または請求項３に記載の即湯システムの配管構造。
【発明の詳細な説明】
【０００１】
【発明の属する技術分野】
この発明は、即湯システムの配管構造に関するものである。
【０００２】
【従来の技術】
従来、即湯システムは図６に示すような配管構成となっており、即湯システム１は、湯を溜めて内部で保温することのできる貯湯タンク２と、その周囲に設けられた配管で構成されており、湯が流入する入管部３から、下方配管４と上方配管５に分岐されて、下方配管４を通って湯が貯湯タンク２内に流入されるように構成されており、また、上方配管５を通った湯は、出管部６から流出されるように構成されている。また、貯湯タンク２の上面には、出管部６に繋がる接続金具７が設けられている。
【０００３】
このような即湯システム１は、ユニットバスの浴槽８の周囲の防水パン９に、下方を挿入状に設置されており、防水パン９には、図示しない給湯器で沸かされた湯が供給される給湯配管１０と、水が供給される給水配管１１が設けられ、給湯配管１０には止水栓付ストレーナ１２が設けられて、このストレーナ１２から、フレキ管で構成された接続配管１３が前記給湯システム１の入管部３に接続されている。
【０００４】
また、給水配管１１にはフレキ管１５が接続されて、フレキ管１５の他端部は、ユニットバスの洗い場の水栓金具に接続されている給水配管１１ａに接続されている。また、洗い場の水栓金具に接続された給湯配管１０ａと、前記即湯システム１の出管部６間は、フレキ管１４で接続されている。
このような構成では、洗い場の図示しない水栓金具が開かれた時に、貯湯タンク２内に保温されている湯が、出管部６からフレキ管１４を通り、給湯配管１０ａを通って水栓金具に供給され、水栓金具を開けると同時に温かい湯が出るように構成されており、その後に、図示しない給湯器で沸かされた湯が、給湯配管１０からフレキ管１３を通り、入管部３から下方配管４を通って貯湯タンク２内に流入されてくる。
【０００５】
【特許文献１】
特開２００１−２３５１６６号公報
【０００６】
【発明が解決しようとする課題】
このような従来の貯湯システムの配管構造では、必ず貯湯システム１を経由して水栓金具に湯が供給される構造であり、夏場等において湯が不要な場合や故障の場合等においても、即湯システムを経由して湯が流れるために、貯湯タンク２内のヒーターがＯＦＦされている状態では、水栓を開けた時に、貯湯タンク２内の冷水が水栓金具から流出されるため、給湯器からの湯が供給されるまでに時間がかかってしまうという問題点があった。
【０００７】
【課題を解決するための手段】
本発明は、上記従来の問題点に鑑み案出したものであって、夏場等で不要な場合や故障の場合等に、即湯システムを経由せずに水栓が使用できる即湯システムの配管構造を提供せんことを目的とし、その第１の要旨は、給湯器からの湯を、貯湯タンク内へ流す下方配管と、貯湯タンクの出口側へ流す上方配管が分岐配管されてなる即湯システムにおいて、前記下方配管に流路を閉止できる止水機構を設けたことである。
【０００８】
また、第２の要旨は、貯湯タンクを備えた即湯システムの上流側に分岐栓を設け、該分岐栓には、前記即湯システムへ繋がる接続配管と、即湯システムの下流側へ繋がるバイパス配管を接続したことである。
また、第３の要旨は、貯湯タンクを備えた即湯システムの上流側に三方弁を設け、該三方弁には、前記即湯システムへ繋がる接続配管と、即湯システムの下流側へ繋がるバイパス配管を接続したことである。
また、第４の要旨は、前記接続配管へは６０％の湯を、前記バイパス配管へは４０％の湯を流すように配管径等が設定されていることである。
また、第５の要旨は、即湯システムの運転スイッチに連動して、前記止水機構または三方弁が切り替わるように構成したことである。
【０００９】
【発明の実施の形態】
以下、本発明の実施例を図面に基づいて説明する。
図１は、第１実施例の即湯システムの配管構造を示す要部構成図である。
貯湯タンク２の外周に設けられた入管部３と下方配管４間には、水抜弁２３を設けた回動可能な回動管２０が継手金具２１を介在させて設けられており、また、上方配管５には逃し弁２２が設けられている。
また、即湯システム１の入管部３から水抜弁２３に至るまでの回動管２０に止水栓２４が設けられている。この止水栓２４は、手動または電動で操作することができ、回動管２０の流路を閉止できるものである。
また、即湯システム１の入管部３には、接続配管１３が接続されており、接続配管１３の他端は、止水栓付ストレーナ１２に接続されており、この止水栓付ストレーナ１２は前述した給湯管１０に接続されている。
【００１０】
このように本例では、即湯システム１の貯湯タンク２内へ湯が流れ込む下方配管４側に、流路を閉止できる止水機構を構成する止水栓２４が設けられているため、この止水栓２４が手動の場合は手動で操作して、夏場等において不要な場合や即湯システム１が故障したような場合に、この止水栓２４で下方配管４への湯の流れを遮断することができるものである。
【００１１】
このように、止水栓２４で下方配管４側の流路を閉止させると、図示しない給湯器で沸かされた湯は、給湯管１０から止水栓付ストレーナ１２，接続配管１３を通り入管部３内に流入し、上方配管５を通って、出管部６からフレキ管１４を通り、給湯配管１０ａから洗い場に設けられた図示しない水栓金具に供給され、即湯システム１を経由せずに湯が水栓金具に供給されることとなる。
したがって、この場合は、貯湯タンク２内には湯が流入されないために、水栓金具を開けた初期に、貯湯タンク２内の冷水が流出されることがなく、早い時間で給湯器からの湯が、水栓金具へ供給されるものとなる。
【００１２】
なお、即湯システム１用の運転スイッチを「切」にした場合に、この運転スイッチに連動して、前記止水栓２４が電気的に流路を閉止するように構成しておけば、手作業で止水栓２４を操作する必要がなく、夏場等で即湯システムが不要な場合や故障の場合等に、手間をかけずに、即湯システムの運転スイッチの操作により、即湯システムを経由せずに湯が水栓金具に流れるようにすることができる。
【００１３】
次に、図２は第２実施例の配管構造を示すものである。
図２では、貯湯システム１の入管部３の上流側に、分岐栓２５が設けられ、この分岐栓２５は給湯管１０に接続され、分岐栓２５には、止水栓付ストレーナ１２を設けて、これに接続配管１３を接続し、接続配管１３の他端を、即湯システム１の入管部３に接続したものであり、また、分岐栓２５に分岐状に止水栓２６を接続して、この止水栓２６にフレキ管で構成されたバイパス配管２７を接続し、バイパス配管２７の他端を、即湯システム１の出管部６の下流側に設けた分岐栓２８に接続したものである。この分岐栓２８は、出管部６に接続されるとともに、分岐栓２８には、洗い場の水栓金具に連通するフレキ管１４が接続されるものである。
【００１４】
このような配管構成では、通常は、止水栓付ストレーナ１２の止水栓が開状態となっており、また止水栓２６は閉止状態にされており、通常は給湯管１０から分岐栓２５を通り、接続配管１３側へ湯が流されて、湯が即湯システム１を経由して分岐栓２８を通り、フレキ管１４から水栓金具側へ流されるものである。
一方、夏場等で不要な場合や故障の場合とか、即湯システム１が不要となった場合には、手動で止水栓付ストレーナ１２の止水栓を閉止させ、逆に止水栓２６は開状態にする。この状態では、給湯管１０からの湯は、分岐栓２５から止水栓２６を通りバイパス配管２７を通って、分岐栓２８を介してフレキ管１４を通り、水栓金具側へ流されるため、即湯システムを経由することなく湯が流れるものとなる。
【００１５】
次に、図３は第２実施例の変更例を示すものである。
図３では、前記図２の分岐栓２５の代わりに三方弁３０を設けたものであり、この三方弁３０には、手動で操作できる手動操作部３０ａが設けられており、三方弁３０には、ストレーナ３１を介在させて接続配管１３が接続され、三方弁３０の他方側にはバイパス配管２７が接続され、三方弁３０は給湯管１０に接続されて取り付けられる。
【００１６】
このような構成では、通常は、三方弁３０を、給湯管１０と接続配管１３が連通される方向にしておき、給湯管１０からの湯を接続配管１３を通して、即湯システム１内へ供給することができるものであり、夏場等で不要な場合や故障等で即湯システムが使用できない場合等においては、手動操作部３０ａを操作して、三方弁３０を、給湯管１０とバイパス配管２７が連通する方向へ切り替えることにより、給湯管１０からの湯は接続配管１３側へは流れず、バイパス配管２７を通って分岐栓２８からフレキ管１４を通り、洗い場の水栓金具へ流されるものとなる。
【００１７】
なお、図３では手動操作部３０ａを備えた手動式の三方弁３０を設けた場合を例示しているが、この三方弁３０を電気的に操作できる三方弁に代えることにより、即湯システムの運転スイッチに連動させて、運転スイッチを「切」にした場合に、三方弁３０が、湯をバイパス配管２７側へ流す方向に切り替わるようにすることができ、操作に手間がかからず、夏場等において即湯スイッチの運転スイッチを「切」にすることで、即湯システムを経由せずに水栓金具に直接湯を供給することができるものとなる。
【００１８】
次に、図４は第３実施例の配管構造を示すものである。
図４では、即湯システム１の出管部３，回動管２０，水抜弁２３，逃し弁２２，上方配管５，出管部６を省略することができる配管構造であり、即湯システム１の上流側に分岐栓２５を設け、この分岐栓２５は、接続配管１３側へ６０％の湯を送ることができ、一方のバイパス配管２７側へは４０％の湯を送ることができるような比率分配径に設定されたものである。
このような分岐栓２５には、手動操作で開閉できる止水栓付ストレーナ１２が設けられて接続配管１３が接続され、この接続配管１３の他端側は、即湯システム１の下方配管４に接続された継手金具２１に接続されるものであり、また一方、分岐栓２５に接続されるバイパス配管２７は、貯湯タンク２の上端の接続金具７に接続される分岐栓２８に接続されるものである。この分岐栓２８には、水栓金具側へ連通したフレキ管１４が接続される。
【００１９】
このような構成では、通常は、止水栓付ストレーナ１２の止水栓を開けておけば、給湯管１０からの湯は、６０％が分岐栓２５を介して接続配管１３を通り、継手金具２１から下方配管４を通って貯湯タンク２内に流入され、貯湯タンク２内の湯は接続金具７から分岐栓２８内に流出することとなる。
また、分岐栓２５を介して４０％の湯は、バイパス配管２７を通り分岐栓２８に達して、この分岐栓２８内で、バイパス配管を通った４０％の湯と、貯湯タンク２からの６０％の湯が混合されて、水栓金具側へ供給されるものである。
【００２０】
夏場等で不要な場合や、故障の場合等で即湯システムが使用できない場合等は、手動で止水栓付ストレーナ１２の止水栓を閉じることにより、全ての湯がバイパス配管２７を通ることとなり、この場合は即湯システム１側へは湯は供給されることはなく、即湯システムを経由することなくバイパス配管２７を通って、直接湯が水栓金具に供給されるものとなる。
【００２１】
なお、図５は第３実施例の変更例を示すものである。
前記図４における分岐栓２５の代わりに、三方弁３０を設けたものであり、この三方弁３０は、通常は、ストレーナ３１を設けた接続配管１３側へ６０％の湯を流し、バイパス配管２７側へは４０％の湯を流すことができるような比率分配径に設定されており、夏場等で不要となった場合等には、手動操作部３０ａを操作して三方弁３０の方向を切り替え、全ての湯が給湯管１０からバイパス配管２７側へ流れるように切り替えることができ、この場合は、即湯システム１を経由することなく、全ての湯がバイパス配管２７を通り、直接水栓金具に供給されるものとなる。
【００２２】
なお、この図５における三方弁３０においても、即湯システムの運転スイッチに連動して、電気的に切り替わる電動式のもので構成しておけば、夏場等で不要な場合や故障の場合等に、即湯システムの運転スイッチを「切」にすることで、三方弁３０が切り替わって、全ての湯を給湯管１０からバイパス配管２７側へ流すことができるものとなり、電動式の場合は手間がかからず操作が容易なものとなる。
また、電動式の場合には、ストレーナ３１等を掃除する際にも、手動で止水栓を開から閉にし、再び開とするような、操作の手間をなくすことができるものとなる。
【００２３】
なお、図１〜図５の全ての配管構成において、接続配管１３，バイパス配管２７等は、フレキ管で構成することにより、容易に取り回して配管接続することができ、施工が楽で、コストを低減させることができるものとなる。
【００２４】
【発明の効果】
本発明の即湯システムの配管構造は、給湯器からの湯を、貯湯タンク内へ流す下方配管と、貯湯タンクの出口側へ流す上方配管が分岐配管されてなる即湯システムにおいて、下方配管に流路を閉止できる止水機構を設けたことにより、夏場等で即湯システムが不要な場合、また故障の場合など、即湯システムが使用できない場合、更には、都合により即湯システムが不要となった場合等に、止水機構で下方配管の流路を閉止することにより、即湯システムを経由せずに湯を使用することができるものとなる。
【００２５】
また、貯湯タンクを備えた即湯システムの上流側に分岐栓を設け、分岐栓には、即湯システムへ繋がる接続配管と、即湯システムの下流側へ繋がるバイパス配管を接続したことにより、夏場等で即湯システムが不要な場合、故障の場合など即湯システムが使用できない場合等において、バイパス配管側へ全ての湯を流し、即湯システムを経由することなく、直接湯を水栓金具に供給することができるものとなる。
【００２６】
また、貯湯タンクを備えた即湯システムの上流側に三方弁を設け、三方弁には、即湯システムへ繋がる接続配管と、即湯システムの下流側へ繋がるバイパス配管を接続したことにより、夏場等で即湯システムが不要な場合、故障の場合など即湯システムが使用できない場合等において、三方弁を操作して、全ての湯をバイパス配管に通し、即湯システムを経由することなく、直接湯を水栓金具側へ供給することができるものとなる。
【００２７】
また、接続配管へは６０％の湯を、バイパス配管へは４０％の湯を流すように配管径等が設定されていることにより、貯湯タンク回りの配管を簡略化させることができ、また、夏場等で即湯システムが不要な場合、故障の場合など即湯システムが使用できない場合等には、バイパス配管側へ全ての湯を流し、即湯システムを経由せずに、水栓金具に直接湯を供給することができるものとなる。
【００２８】
また、即湯システムの運転スイッチに連動して、止水機構または三方弁が切り替わるように構成したことにより、夏場等で即湯システムが不要な場合，故障の場合など即湯システムが使用できない場合等において、止水機構や三方弁を手で調整する必要がなく、即湯システムの運転スイッチを「切」にすることで、電気的に止水機構または三方弁を手間をかけずに切り替えて、即湯システムを経由せずに、水栓金具に直接湯を供給することができるものとなる。
【図面の簡単な説明】
【図１】第１実施例の即湯システム周辺の配管構成図である。
【図２】第２実施例の即湯システム周辺の配管構成図である。
【図３】第２実施例の変更例を示す即湯システム周辺の配管構成図である。
【図４】第３実施例の即湯システム周辺の配管構成図である。
【図５】第３実施例の変更例を示す即湯システム周辺の配管構成図である。
【図６】即湯システムの設置状態図である。
【符号の説明】
１    即湯システム
２    貯湯タンク
３    入管部
４    下方配管
５    上方配管
６    出管部
７    接続金具
８    浴槽
９    防水パン
１０，１０ａ    給湯配管
１１，１１ａ    給水配管
１２    止水栓付ストレーナ
１３    接続配管（フレキ管）
１４    フレキ管
２０    回動管
２１    継手金具
２４    止水栓
２５    分岐栓
２６    止水栓
２７    バイパス配管
２８    分岐栓
３０    三方弁
３０ａ    手動操作部
３１    ストレーナ
【図１】
2004332986.tif 000003
【図２】
2004332986.tif 000004
【図３】
2004332986.tif 000005
【図４】
2004332986.tif 000006
【図５】
2004332986.tif 000007
【図６】
2004332986.tif 000008